(57)【特許請求の範囲】
【請求項１】
移動車を含み、前記移動車の下端面の中には車輪が四つ装着され、前記車輪を通じて本願装置を鉄道で運動させることができ、前記移動車の右端面には支持ブロックが固定的に設置され、前記支持ブロックの中には作業空間が設置され、前記作業空間の中には切断機構が設置され、前記切断機構は前記支持ブロックの右側に設置された縦方向切断輪を含み、前記縦方向切断輪の回転を通じて鉄道右側の雑草と木枝に対して切断を行うことができ、前記支持ブロックの上下両側には横方向切断輪が二つ対称に設置され、二つの前記横方向切断輪の回転を通じても鉄道右側の雑草と木枝に対して切断を行うことができ、
前記切断機構の左側には調整機構が設置され、前記調整機構は上下側の前記横方向切断輪の高さを調節することができ、
前記移動車の中には収納空間が設置され、前記収納空間の中には堆積機構が設置され、前記堆積機構は前記収納空間の中に前後方向にスライドできる支持板を含み、前記支持板の前端面には前端が外界に位置する捻り軸が回転可能に設置され、外界にある前記捻り軸の前端には置き板が固定的に設置され、前記置き板の下端面には堆積棒が四本均一に、且つ固定的に設置され、前記堆積棒は前記移動車につれ前方へ運動する時に、前記切断機構の切り取った雑草と木枝を堆積することができることを特徴とする鉄道周辺の雑草と木枝に対する切断型除去設備。
【請求項２】
前記切断機構はさらに前記作業空間の後端壁に固定的に連結された切断モータも含み、前記切断モータの右端面には右端が外界に位置する駆動軸が回転可能に設置され、前記駆動軸の右端には前記縦方向切断輪が固定的に設置され、前記作業空間の中にある前記駆動軸には駆動傘歯車が固定的に設置され、前記駆動軸の上下両側には前記作業空間の後端壁と固定的に連結された連結ブロックが対称に設置され、前記連結ブロックの中には前記連結ブロックを貫通する伝動軸が回転可能に設置され、前記伝動軸の下端には伝動傘歯車が固定的に設置され、前記伝動軸のうち前記駆動軸に近接する一端には前記伝動傘歯車が固定的に設置され、前記伝動傘歯車と前記駆動傘歯車とは伝動可能に噛み合っていることを特徴とする請求項１に記載の鉄道周辺の雑草と木枝に対する切断型除去設備。
【請求項３】
前記伝動軸のうち前記駆動軸に離れる片側には昇降軸が設置され、前記昇降軸のうち前記駆動軸に離れる片側は外界に位置し、前記昇降軸と前記横方向切断輪とは固定的に連結され、前記作業空間の中にある前記昇降軸には円形板が固定的に設置され、前記昇降軸のうち前記駆動軸に近接する端面の中には前記駆動軸に向いて開口した円柱空間が設置され、前記円柱空間の左右端壁の中には移動溝が対称に形成され、前記伝動軸のうち前記駆動軸に離れる一端は前記円柱空間の中に位置し、且つ前記円柱空間のうち前記駆動軸に離れる端壁との間に第一ばねが設置され、前記伝動軸には前記移動溝とスライド可能に連結された移動ブロックが左右対称に設置されていることを特徴とする請求項２に記載の鉄道周辺の雑草と木枝に対する切断型除去設備。
【請求項４】
前記調整機構は前記作業空間の後端壁と固定的に連結された貯蔵ブロックを含み、前記貯蔵ブロックの中には貯蔵空間が設置され、前記貯蔵ブロックの右側には前記作業空間の後端壁と固定的に連結された液圧ブロックが上下対称に設置され、前記液圧ブロックの中には液圧空間が設置され、前記液圧空間の中にはピストンがスライド可能に設置され、前記ピストンのうち前記切断モータに離れる端面にはピストン棒が固定的に設置され、前記ピストン棒のうち前記切断モータに離れる一端には推力板が固定的に設置され、前記ピストンのうち前記切断モータに近接する片側にある前記液圧空間と前記貯蔵空間とは水平パイプによって連通され、前記水平パイプの中にはポンプが設置され、前記ピストンのうち前記切断モータに離れる片側にある前記液圧空間と前記貯蔵空間とは湾曲パイプによって連通されていることを特徴とする請求項２に記載の鉄道周辺の雑草と木枝に対する切断型除去設備。
【請求項５】
前記堆積機構は前記収納空間の左端面と固定的に連結された動力モータを含み、前記動力モータの右端面には動力軸が回転可能に設置され、前記動力軸の右端には動力傘歯車が固定的に設置され、前記収納空間の右端壁の中には左方に開口したばね溝が形成され、前記ばね溝の後端壁には第二ばねが固定的に設置され、前記第二ばねの前端には前記ばね溝とスライド可能に連結されたばねブロックが固定的に設置され、前記ばねブロックの左端面には左端が前記収納空間の中に位置する連結棒が固定的に設置され、前記連結棒の左端には前記支持板が固定的に設置され、前記捻り軸と前記支持板との間には捻りばねが設置され、前記収納空間の中にある前記捻り軸には捻り棒が固定的に設置され、前記捻り軸の上側には前記支持板の前端面と回転可能に連結された入力軸が設置され、前記入力軸には底部傘歯車と入力棒とが固定的に設置され、前記入力棒は前記底部傘歯車の前側に位置し、前記収納空間の左端面には隔離板が固定的に設置されていることを特徴とする請求項１に記載の鉄道周辺の雑草と木枝に対する切断型除去設備。
【請求項６】
前記第一ばねは自然状態にあることを特徴とする請求項３に記載の鉄道周辺の雑草と木枝に対する切断型除去設備。
【請求項７】
前記貯蔵空間の中には作動油が満載されていることを特徴とする請求項４に記載の鉄道周辺の雑草と木枝に対する切断型除去設備。
【請求項８】
前記液圧空間の中には作動油が満載されていることを特徴とする請求項４に記載の鉄道周辺の雑草と木枝に対する切断型除去設備。
【請求項９】
前記底部傘歯車は前方へ運動した後に前記動力傘歯車と噛み合えることを特徴とする請求項５に記載の鉄道周辺の雑草と木枝に対する切断型除去設備。
【発明の詳細な説明】
【技術分野】
【０００１】
本願発明は鉄道掃除分野を取り上げ、具体的には鉄道周辺の雑草と木枝に対する切断型除去設備である。
【背景技術】
【０００２】
人々の日常生活を妨げないように、鉄道は基本的に人気のない野外に敷設され、また、野外で敷設された後、雑草と樹木の生えは鉄道車両の鉄道における進行に影響するため、定期的に雑草と木枝を剪定する必要があり、しかし、既存する雑草と木枝に対する除去方法のほとんどは片方向のみの除去であり、除去が不完全で、且つ除去した後に、雑草と木枝はバラバラに散り、後続処理に不便を与える。
【先行技術文献】
【特許文献】
【０００３】
【特許文献１】中国特許出願公開第１０５２３０２２４号明細書
【発明の概要】
【発明が解決しようとする課題】
【０００４】
鉄道周辺の雑草と木枝に対する切断型除去設備を提供し、鉄道周辺の雑草と木枝に対する除去の不完全問題や、後続処理の不便問題などの問題を解決する。
【課題を解決するための手段】
【０００５】
本願発明は以下の技術的解決策によって実現される。
【０００６】
本願による鉄道周辺の雑草と木枝に対する切断型除去設備は、移動車を含み、前記移動車の下端面の中には車輪が四つ装着され、前記車輪を通じて本願装置を鉄道で運動させることができ、前記移動車の右端面には支持ブロックが固定的に設置され、前記支持ブロックの中には作業空間が設置され、前記作業空間の中には切断機構が設置され、前記切断機構は前記支持ブロックの右側に設置された縦方向切断輪を含み、前記縦方向切断輪の回転を通じて鉄道右側の雑草と木枝に対して切断を行うことができ、前記支持ブロックの上下両側には横方向切断輪が二つ対称に設置され、二つの前記横方向切断輪の回転を通じても鉄道右側の雑草と木枝に対して切断を行うことができ、
前記切断機構の左側には調整機構が設置され、前記調整機構は上下側の前記横方向切断輪の高さを調節することができ、
前記移動車の中には収納空間が設置され、前記収納空間の中には堆積機構が設置され、前記堆積機構は前記収納空間の中に前後方向にスライドできる支持板を含み、前記支持板の前端面には前端が外界に位置する捻り軸が回転可能に設置され、外界にある前記捻り軸の前端には置き板が固定的に設置され、前記置き板の下端面には堆積棒が四本均一に、且つ固定的に設置され、前記堆積棒は前記移動車につれ前方へ運動する時に、前記切断機構の切り取った雑草と木枝を堆積することができる。
【０００７】
好ましくは、前記切断機構はさらに前記作業空間の後端壁に固定的に連結された切断モータも含み、前記切断モータの右端面には右端が外界に位置する駆動軸が回転可能に設置され、前記駆動軸の右端には前記縦方向切断輪が固定的に設置され、前記作業空間の中にある前記駆動軸には駆動傘歯車が固定的に設置され、前記駆動軸の上下両側には前記作業空間の後端壁と固定的に連結された連結ブロックが対称に設置され、前記連結ブロックの中には前記連結ブロックを貫通する伝動軸が回転可能に設置され、前記伝動軸の下端には伝動傘歯車が固定的に設置され、前記伝動軸のうち前記駆動軸に近接する一端には前記伝動傘歯車が固定的に設置され、前記伝動傘歯車と前記駆動傘歯車とは伝動可能に噛み合っている。
【０００８】
好ましくは、前記伝動軸のうち前記駆動軸に離れる片側には昇降軸が設置され、前記昇降軸のうち前記駆動軸に離れる片側は外界に位置し、前記昇降軸と前記横方向切断輪とは固定的に連結され、前記作業空間の中にある前記昇降軸には円形板が固定的に設置され、前記昇降軸のうち前記駆動軸に近接する端面の中には前記駆動軸に向いて開口した円柱空間が設置され、前記円柱空間の左右端壁の中には移動溝が対称に形成され、前記伝動軸のうち前記駆動軸に離れる一端は前記円柱空間の中に位置し、且つ前記円柱空間のうち前記駆動軸に離れる端壁との間に第一ばねが設置され、前記伝動軸には前記移動溝とスライド可能に連結された移動ブロックが左右対称に設置されている。
【０００９】
好ましくは、前記調整機構は前記作業空間の後端壁と固定的に連結された貯蔵ブロックを含み、前記貯蔵ブロックの中には貯蔵空間が設置され、前記貯蔵ブロックの右側には前記作業空間の後端壁と固定的に連結された液圧ブロックが上下対称に設置され、前記液圧ブロックの中には液圧空間が設置され、前記液圧空間の中にはピストンがスライド可能に設置され、前記ピストンのうち前記切断モータに離れる端面にはピストン棒が固定的に設置され、前記ピストン棒のうち前記切断モータに離れる一端には推力板が固定的に設置され、前記ピストンのうち前記切断モータに近接する片側にある前記液圧空間と前記貯蔵空間とは水平パイプによって連通され、前記水平パイプの中にはポンプが設置され、前記ピストンのうち前記切断モータに離れる片側にある前記液圧空間と前記貯蔵空間とは湾曲パイプによって連通されている。
【００１０】
好ましくは、前記堆積機構は前記収納空間の左端面と固定的に連結された動力モータを含み、前記動力モータの右端面には動力軸が回転可能に設置され、前記動力軸の右端には動力傘歯車が固定的に設置され、前記収納空間の右端壁の中には左方に開口したばね溝が形成され、前記ばね溝の後端壁には第二ばねが固定的に設置され、前記第二ばねの前端には前記ばね溝とスライド可能に連結されたばねブロックが固定的に設置され、前記ばねブロックの左端面には左端が前記収納空間の中に位置する連結棒が固定的に設置され、前記連結棒の左端には前記支持板が固定的に設置され、前記捻り軸と前記支持板との間には捻りばねが設置され、前記収納空間の中にある前記捻り軸には捻り棒が固定的に設置され、前記捻り軸の上側には前記支持板の前端面と回転可能に連結された入力軸が設置され、前記入力軸には底部傘歯車と入力棒とが固定的に設置され、前記入力棒は前記底部傘歯車の前側に位置し、前記収納空間の左端面には隔離板が固定的に設置されている。
【００１１】
好ましくは、前記第一ばねは自然状態にある。
【００１２】
好ましくは、前記貯蔵空間の中には作動油が満載されている。
【００１３】
好ましくは、前記液圧空間の中には作動油が満載されている。
【００１４】
好ましくは、前記底部傘歯車は前方へ運動した後に前記動力傘歯車と噛み合える。
【発明の効果】
【００１５】
本願発明は以下のプラス効果を有する：本願装置は鉄道に沿って運動し、鉄道周辺の雑草と木枝に対して全方位の切断を行い、雑草と木枝が鉄道車両の進行を妨げることを避け、また、異なる地区の雑草と木枝の分布状況に合わせて、切断の高度を調節でき、適用性が強く、さらに、切断した後に、落ちた雑草と木枝を堆積でき、後続の収集に便利を与え、鉄道のメンテナンスに有利である。
【図面の簡単な説明】
【００１６】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明である鉄道周辺の雑草と木枝に対する切断型除去設備の全体全断面の正面構成略図
【図２】図２は図１におけるＡの拡大略図
【図３】図３は図１におけるＥの拡大略図
【図４】図４は図１におけるＢ方向からの略図
【図５】図５は図２におけるＤ―Ｄ方向からの略図
【図６】図６は図２におけるＦ―Ｆ方向からの略図
【図７】図７は図４におけるＣ―Ｃ方向からの略図
【発明を実施するための形態】
【００１８】
図１〜７に記載の鉄道周辺の雑草と木枝に対する切断型除去設備の機械構成略図に合わせ、本願発明は移動車１０を含み、前記移動車１０の下端面の中には車輪２７が四つ装着され、前記車輪２７を通じて本願装置を鉄道で運動させることができ、前記移動車１０の右端面には支持ブロック１２が固定的に設置され、前記支持ブロック１２の中には作業空間１３が設置され、前記作業空間１３の中には切断機構７０が設置され、前記切断機構７０は前記支持ブロック１２の右側に設置された縦方向切断輪２２を含み、前記縦方向切断輪２２の回転を通じて鉄道右側の雑草と木枝に対して切断を行うことができ、前記支持ブロック１２の上下両側には横方向切断輪１８が二つ対称に設置され、二つの前記横方向切断輪１８の回転を通じても鉄道右側の雑草と木枝に対して切断を行うことができ、
前記切断機構７０の左側には調整機構７１が設置され、前記調整機構７１は上下側の前記横方向切断輪１８の高さを調節することができ、
前記移動車１０の中には収納空間３０が設置され、前記収納空間３０の中には堆積機構７２が設置され、前記堆積機構７２は前記収納空間３０の中に前後方向にスライドできる支持板３４を含み、前記支持板３４の前端面には前端が外界に位置する捻り軸４０が回転可能に設置され、外界にある前記捻り軸４０の前端には置き板５０が固定的に設置され、前記置き板５０の下端面には堆積棒５５が四本均一に、且つ固定的に設置され、前記堆積棒５５は前記移動車１０につれ前方へ運動する時に、前記切断機構７０の切り取った雑草と木枝を堆積することができる。
【００１９】
好ましくは、前記切断機構７０はさらに前記作業空間１３の後端壁に固定的に連結された切断モータ２５も含み、前記切断モータ２５の右端面には右端が外界に位置する駆動軸２４が回転可能に設置され、前記駆動軸２４の右端には前記縦方向切断輪２２が固定的に設置され、前記作業空間１３の中にある前記駆動軸２４には駆動傘歯車２３が固定的に設置され、前記駆動軸２４の上下両側には前記作業空間１３の後端壁と固定的に連結された連結ブロック２０が対称に設置され、前記連結ブロック２０の中には前記連結ブロック２０を貫通する伝動軸１９が回転可能に設置され、前記伝動軸１９の下端には伝動傘歯車２１が固定的に設置され、前記伝動軸１９のうち前記駆動軸２４に近接する一端には前記伝動傘歯車２１が固定的に設置され、前記伝動傘歯車２１と前記駆動傘歯車２３とは伝動可能に噛み合っており、
前記伝動軸１９のうち前記駆動軸２４に離れる片側には昇降軸１７が設置され、前記昇降軸１７のうち前記駆動軸２４に離れる片側は外界に位置し、前記昇降軸１７と前記横方向切断輪１８とは固定的に連結され、前記作業空間１３の中にある前記昇降軸１７には円形板１４が固定的に設置され、前記昇降軸１７のうち前記駆動軸２４に近接する端面の中には前記駆動軸２４に向いて開口した円柱空間１５が設置され、前記円柱空間１５の左右端壁の中には移動溝５７が対称に形成され、前記伝動軸１９のうち前記駆動軸２４に離れる一端は前記円柱空間１５の中に位置し、且つ前記円柱空間１５のうち前記駆動軸２４に離れる端壁との間に第一ばね１６が設置され、前記伝動軸１９には前記移動溝５７とスライド可能に連結された移動ブロック５６が左右対称に設置されている。
【００２０】
好ましくは、前記調整機構７１は前記作業空間１３の後端壁と固定的に連結された貯蔵ブロック１１を含み、前記貯蔵ブロック１１の中には貯蔵空間２６が設置され、前記貯蔵ブロック１１の右側には前記作業空間１３の後端壁と固定的に連結された液圧ブロック４５が上下対称に設置され、前記液圧ブロック４５の中には液圧空間４６が設置され、前記液圧空間４６の中にはピストン４７がスライド可能に設置され、前記ピストン４７のうち前記切断モータ２５に離れる端面にはピストン棒４８が固定的に設置され、前記ピストン棒４８のうち前記切断モータ２５に離れる一端には推力板４９が固定的に設置され、前記ピストン４７のうち前記切断モータ２５に近接する片側にある前記液圧空間４６と前記貯蔵空間２６とは水平パイプ４３によって連通され、前記水平パイプ４３の中にはポンプ４４が設置され、前記ピストン４７のうち前記切断モータ２５に離れる片側にある前記液圧空間４６と前記貯蔵空間２６とは湾曲パイプ５８によって連通されている。
【００２１】
好ましくは、前記堆積機構７２は前記収納空間３０の左端面と固定的に連結された動力モータ２９を含み、前記動力モータ２９の右端面には動力軸３１が回転可能に設置され、前記動力軸３１の右端には動力傘歯車３２が固定的に設置され、前記収納空間３０の右端壁の中には左方に開口したばね溝３６が形成され、前記ばね溝３６の後端壁には第二ばね５１が固定的に設置され、前記第二ばね５１の前端には前記ばね溝３６とスライド可能に連結されたばねブロック３７が固定的に設置され、前記ばねブロック３７の左端面には左端が前記収納空間３０の中に位置する連結棒３８が固定的に設置され、前記連結棒３８の左端には前記支持板３４が固定的に設置され、前記捻り軸４０と前記支持板３４との間には捻りばね５２が設置され、前記収納空間３０の中にある前記捻り軸４０には捻り棒２８が固定的に設置され、前記捻り軸４０の上側には前記支持板３４の前端面と回転可能に連結された入力軸３５が設置され、前記入力軸３５には底部傘歯車３３と入力棒３９とが固定的に設置され、前記入力棒３９は前記底部傘歯車３３の前側に位置し、前記収納空間３０の左端面には隔離板５９が固定的に設置されている。  
【００２２】
好ましくは、前記第一ばね１６は自然状態にある。
【００２３】
好ましくは、前記貯蔵空間２６の中には作動油が満載されている。
【００２４】
好ましくは、前記液圧空間４６の中には作動油が満載されている。
【００２５】
好ましくは、前記底部傘歯車３３は前方へ運動した後に前記動力傘歯車３２と噛み合える。
【００２６】
本願装置全体の作動手順は以下の通りである。
【００２７】
１．切断モータ２５と動力モータ２９とを作動させ、動力モータ２９は動力軸３１を駆動して回転させ、動力傘歯車３２は動力軸３１につれ回転し、切断モータ２５は駆動軸２４を駆動して回転させ、駆動傘歯車２３と縦方向切断輪２２とは駆動軸２４につれ回転する。
【００２８】
２．縦方向切断輪２２は回転することで鉄道右側の雑草と木枝を切断でき、駆動傘歯車２３と伝動傘歯車２１との噛み合いによる伝動を通じて、伝動傘歯車２１は駆動されて回転し、伝動軸１９は伝動傘歯車２１につれ回転し、移動ブロック５６を駆動して回転させ、移動ブロック５６と移動溝５７との協働を通じて、昇降軸１７は駆動されて回転し、円形板１４と横方向切断輪１８とは昇降軸１７につれ回転し、上下側にある横方向切断輪１８はそれぞれ鉄道の右上側と右下側にある雑草と木枝を切断する。
【００２９】
３．ポンプ４４を作動させ、ピストン４７の上下側にある液圧空間４６の中の作動油の比例を変え、それにより、ピストン４７は駆動されて液圧空間４６の中で移動し、推力板４９はピストン４７につれ上下に移動し、そして円形板１４を押して上下に移動させることができ、それにより、横方向切断輪１８の高さは調節され、異なる高度にある雑草と木枝に対する切断を便利にさせられる。
【００３０】
４．移動車１０はレールに沿って後方へ運動し、堆積棒５５は切断された雑草と木枝とを堆積でき、堆積の雑草と木枝の数が増えるにつれ、堆積棒５５は前方へ引っ張られ、それにより、底部傘歯車３３と動力傘歯車３２とは噛み合い、入力棒３９は隔離板５９の前側まで運動し、動力傘歯車３２と底部傘歯車３３との噛み合いによる伝動を通じて、底部傘歯車３３は駆動されて回転し、入力棒３９は底部傘歯車３３につれ回転し、捻り棒２８は押されて隔離板５９の前端面まで回転し、捻り棒２８は捻り軸４０を駆動して回転させ、さらに置き板５０を駆動して回転させ、置き板５０は堆積した雑草と木枝から離れ、入力棒３９が捻り棒２８から離脱した後に、捻り棒２８は復帰し、堆積棒５５を駆動して復帰させ、それにより、引き続き雑草と木枝に対する堆積作業を行える。
【００３１】
以上の実施例はあくまで本発明の技術的思想と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【要約】      （修正有）【課題】鉄道周辺の雑草と木枝に対する切断型除去設備を提供する。【解決手段】鉄道周辺の雑草と木枝に対する切断型除去設備は、移動車１０を含み、移動車１０の下端面の中には車輪２７が四つ装着され、車輪２７を通じて、設備を鉄道で運動させることができ、移動車１０の右端面には支持ブロック１２が固定的に設置され、支持ブロック１２の中には作業空間１３が設置され、作業空間１３の中には切断機構７０が設置され、設備は鉄道に沿って運動し、鉄道周辺の雑草と木枝に対して全方位の切断を行い、雑草と木枝が鉄道車両の進行を妨げることを避け、また、異なる地区の雑草と木枝の分布状況に合わせて、切断の高度を調節でき、適用性が強く、さらに、切断した後に、落ちた雑草と木枝を堆積でき、後続の収集に便利を与え、鉄道のメンテナンスに有利である。【選択図】図１【図１】
0006784900.tif 000002
【図２】
0006784900.tif 000003
【図３】
0006784900.tif 000004
【図４】
0006784900.tif 000005
【図５】
0006784900.tif 000006
【図６】
0006784900.tif 000007
【図７】
0006784900.tif 000008